(57)【要約】【課題】ユーザ同士がコミュニケーションを取りながら動画を視聴することを促すことを目的とする。【解決手段】グループ視聴動画配信処理は、グループ登録された携帯端末へ、グループとして登録されなければ視聴できない動画を示すグループ用動画データを配信する。これにより、グループ用動画データで再生される動画を視聴するためには、複数のユーザの携帯端末をグループ登録し、ユーザ同士が至近距離で動画を視聴する必要が生じるので、グループ視聴動画配信処理は、ユーザ同士でコミュニケーションを取りながら動画を視聴することを促すことができる。【選択図】図８
2019036785.tif 000002
【特許請求の範囲】
【請求項１】
複数の情報処理端末へ動画データを配信する情報処理装置であって、
至近距離に位置する複数の情報処理端末で構成されるグループの登録を受け付けるグループ登録手段と、
前記グループとして登録された複数の情報処理端末へ前記動画データを配信する動画データ配信手段と、
を備え、
前記動画データ配信手段は、前記グループとして登録された前記情報処理端末へ、前記グループとして登録されなければ視聴できない動画を示すグループ用動画データを配信する情報処理装置。
【請求項２】
前記動画データ配信手段は、前記グループとして登録された複数の前記情報処理端末で同時に再生することで一つの動画とされる前記グループ用動画データを配信する請求項１記載の情報処理装置。
【請求項３】
前記動画データ配信手段は、複数の前記情報処理端末を平面的又は立体的に並べてユーザが視聴することで、一つの動画とされる前記グループ用動画データを配信する請求項１又は請求項２記載の情報処理装置。
【請求項４】
前記動画データ配信手段は、前記グループとして登録された前記情報処理端末の少なくとも一部において、再生される画像及び音の少なくとも一方が異なるように前記グループ用動画データを配信する請求項１から請求項３の何れか１項記載の情報処理装置。
【請求項５】
前記動画データ配信手段は、一部の前記情報処理端末に配信した前記グループ用動画データを、その後他の前記情報処理端末に配信する請求項４記載の情報処理装置。
【請求項６】
前記動画データ配信手段は、前記グループとして登録されていない前記情報処理端末では視聴できない要素を含む前記グループ用動画データを、前記グループとして登録された前記情報処理端末に配信する請求項１から請求項５の何れか１項記載の情報処理装置。
【請求項７】
前記要素は、再生される画像及び音の少なくとも一方である請求項６記載の情報処理装置。
【請求項８】
前記動画データ配信手段は、前記情報処理端末の視聴環境が所定条件を満たした場合に、前記グループ用動画データを配信する請求項１から請求項７の何れか１項記載の情報処理装置。
【請求項９】
前記視聴環境は、前記情報処理端末が検知する明るさ及び音の少なくとも一つである請求項８記載の情報処理端末。
【請求項１０】
前記グループ登録手段は、前記情報処理端末を介して前記情報処理端末の位置情報を取得し、前記至近距離として予め定められた範囲内にある複数の前記情報処理端末をグループとして登録する請求項１から請求項９の何れか１項記載の情報処理装置。
【請求項１１】
複数の情報処理端末へ動画データを配信する動画配信方法であって、
至近距離に位置する複数の情報処理端末で構成されるグループの登録を受け付ける第１工程と、
前記グループとして登録された複数の情報処理端末へ前記動画データを配信する第２工程と、
を有し、
前記第２工程は、前記グループとして登録された前記情報処理端末へ、前記グループとして登録されなければ視聴できない動画を示すグループ用動画データを配信する動画配信方法。
【請求項１２】
コンピュータを、
至近距離に位置する複数の情報処理端末で構成されるグループの登録を受け付けるグループ登録手段と、
前記グループとして登録された前記情報処理端末へ、前記グループとして登録されなければ視聴できない動画を示す動画データを配信する動画データ配信手段と、
して機能させるための動画配信プログラム。
【発明の詳細な説明】
【技術分野】
【０００１】
本発明は、情報処理装置、動画配信方法、及び動画配信プログラムに関するものである。
【背景技術】
【０００２】
近年、スマートフォンやタブレット端末等の可搬型の情報処理端末を用いて映画やドラマ、アニメーション等の動画を視聴するユーザが増加している。このため、ユーザがより楽しんで動画を視聴可能とする技術開発が進められている。
【０００３】
特許文献１には、距離の離れた複数ユーザからなるコミュニティにおいて映像を共有し、あたかもユーザ全員が一箇所に集まって一緒に同じ映像を視聴しているような一体感を実現することを目的とした映像再生制御方法が開示されている。特許文献１に記載の映像再生制御方法は、ユーザが入力したコメントに対し他のユーザが与えたコメント評価情報に基づいて、コミュニティ内で好感度の高いユーザが発信した再生制御コマンドを優先的に実行するものである。
【先行技術文献】
【特許文献】
【０００４】
【特許文献１】特開２００３−１６３９１１号公報
【発明の概要】
【発明が解決しようとする課題】
【０００５】
特許文献１に記載の映像再生制御方法は、距離の離れた複数ユーザからなるコミュニティを対象としたものであり、ユーザ全員が至近距離に集まって一緒に同じ映像を視聴しているコミュニティを対象としたものではない。
【０００６】
すなわち、ユーザ全員が至近距離に集まって一緒に同じ映像を視聴している場合においても、ユーザがより動画を楽しんで視聴可能とする技術開発が望まれている。この技術開発のコンセプトの一つとして、至近距離に集まっているユーザ同士でコミュニケーションを取りながら動画視聴を行うというものが新たに望まれている。
【０００７】
本発明は、このような事情に鑑みてなされたものであって、ユーザ同士でコミュニケーションを取りながら動画を視聴することを促すことができる、情報処理装置、動画配信方法、及び動画配信プログラムを提供することを目的とする。
【課題を解決するための手段】
【０００８】
上記課題を解決するために、本発明の情報処理装置、動画配信方法、及び動画配信プログラムは以下の手段を採用する。
【０００９】
上記課題を解決するため、本発明の一態様である「情報処理装置」は、複数の情報処理端末へ動画データを配信する情報処理装置であって、至近距離に位置する複数の情報処理端末で構成されるグループの登録を受け付けるグループ登録手段と、前記グループとして登録された複数の情報処理端末へ前記動画データを配信する動画データ配信手段と、を備え、前記動画データ配信手段は、前記グループとして登録された前記情報処理端末へ、前記グループとして登録されなければ視聴できない動画を示すグループ用動画データを配信する。
【００１０】
上記課題を解決するため、本発明の一態様である「動画配信方法」は、複数の情報処理端末へ動画データを配信する動画配信方法であって、至近距離に位置する複数の情報処理端末で構成されるグループの登録を受け付ける第１工程と、前記グループとして登録された複数の情報処理端末へ前記動画データを配信する第２工程と、を有し、前記第２工程は、前記グループとして登録された前記情報処理端末へ、前記グループとして登録されなければ視聴できない動画を示すグループ用動画データを配信する。
【００１１】
上記課題を解決するため、本発明の一態様である「動画配信プログラム」は、コンピュータを、至近距離に位置する複数の情報処理端末で構成されるグループの登録を受け付けるグループ登録手段と、前記グループとして登録された前記情報処理端末へ、前記グループとして登録されなければ視聴できない動画を示す動画データを配信する動画データ配信手段と、して機能させる。
【００１２】
上記「情報処理装置」には、以下に例示するように、種々の技術的限定を加えてもよい。また、同趣旨の技術的限定を、「動画配信方法」が実行する処理ステップや「動画配信プログラム」の機能に加えてもよい。
【００１３】
前記動画データ配信手段は、前記グループとして登録された複数の前記情報処理端末で同時に再生することで一つの動画とされる前記グループ用動画データを配信する。
【００１４】
前記動画データ配信手段は、複数の前記情報処理端末を平面的又は立体的に並べてユーザが視聴することで、一つの動画とされる前記グループ用動画データを配信する。
【００１５】
前記動画データ配信手段は、前記グループとして登録された前記情報処理端末の少なくとも一部において、再生される画像及び音の少なくとも一方が異なるように前記グループ用動画データを配信する。
【００１６】
前記動画データ配信手段は、一部の前記情報処理端末に配信した前記グループ用動画データを、その後他の前記情報処理端末に配信する。
【００１７】
前記動画データ配信手段は、前記グループとして登録されていない前記情報処理端末では視聴できない要素を含む前記グループ用動画データを、前記グループとして登録された前記情報処理端末に配信する。
【００１８】
前記要素は、再生される画像及び音の少なくとも一方である。
【００１９】
前記動画データ配信手段は、前記情報処理端末の視聴環境が所定条件を満たした場合に、前記グループ用動画データを配信する。
【００２０】
前記視聴環境は、前記情報処理端末が検知する明るさ及び音の少なくとも一つである。
【００２１】
前記グループ登録手段は、前記情報処理端末を介して前記情報処理端末の位置情報を取得し、前記至近距離として予め定められた範囲内にある複数の前記情報処理端末をグループとして登録する。
【発明の効果】
【００２２】
本発明によれば、ユーザ同士がコミュニケーションを取りながら動画を視聴することを促すことができる、という効果を有する。
【図面の簡単な説明】
【００２３】
【図１】本発明の実施形態に係る動画配信システムの構成図である。
【図２】本発明の実施形態に係るサーバの電気的構成を示すブロック図である。
【図３】本発明の第１実施形態に係るサーバの動画配信機能に関する機能ブロック図である。
【図４】本発明の第１実施形態に係るグループ登録された携帯端末に表示される動画を示す図である。
【図５】本発明の第１実施形態に係るクループ視聴動画を視聴する場合における複数の携帯端末の配置を示す模式図である。
【図６】本発明の第１実施形態に係るグループ登録された携帯端末に表示される動画を示す図である。
【図７】本発明の第１実施形態に係るグループ登録された携帯端末に表示される動画を示す図である。
【図８】本発明の第１実施形態に係るグループ視聴動画配信処理の流れを示すフローチャートである。
【図９】本発明の第２実施形態に係るグループ登録された携帯端末に表示される動画を示す図である。
【図１０】本発明の第３実施形態に係るサーバの動画配信機能に関する機能ブロック図である。
【図１１】本発明の第３実施形態に係るグループ視聴動画配信処理の流れを示すフローチャートである。
【発明を実施するための形態】
【００２４】
以下に、本発明に係る情報処理装置、動画配信方法、及び動画配信プログラムの一実施形態について、図面を参照して説明する。
【００２５】
［１．第１実施形態］
以下、本発明の第１実施形態について説明する。
【００２６】
［１−１．動画配信システムの構成］
図１は、本実施形態に係る動画配信システム１の概略構成図である。動画配信システム１は、通信回線２、複数の携帯端末３、及びサーバ４を含んで構成される。
【００２７】
通信回線２は、コンピュータネットワークを形成するものであり、例えば、電気事業者によって提供される広域通信回線である。
【００２８】
携帯端末３は、例えば、スマートフォンやタブレット端末、ノートパソコン等の情報処理端末である。携帯端末３は、画像を表示するタッチパネルディスプレイ３ａ、音を出力するスピーカー３ｂ、音が入力されるマイク３ｃ、及び被写体を撮像するカメラ３ｄ等を備える。携帯端末３は、サーバ４から配信される動画データを再生するために、一例として、専用のアプリケーションソフトウエアがインストールされる。
【００２９】
サーバ４は、通信回線２を介して、複数の携帯端末３へ動画データを配信する情報処理装置である。動画データは、例えばアニメやドラマ等のようにストーリーが存在し、ストーリーに沿って物語が進行する動画を示すものである。サーバ４は、動画データを、例えばライブ配信ではなく非ライブ配信によって携帯端末３へ配信する。動画データを受信した携帯端末３は、動画データを再生してタッチパネルディスプレイ３ａに表示したり、音をスピーカー３ｂから出力する。
【００３０】
動画データが配信される複数の携帯端末３は、至近距離に位置し、グループ５としてサーバ４に登録（以下「グループ登録」という。）される。すなわち、グループ登録された複数の携帯端末３は、サーバ４から配信された動画データに基づく動画を同じタイミングで、換言すると同期してタッチパネルディスプレイ３ａに表示する。そして、グループ登録された携帯端末３の各ユーザは、同時に動画を視聴することとなる。
【００３１】
図１では、グループ５を構成する携帯端末３を４台としているが、これは一例であり、グループ５は複数の携帯端末３で構成されていればその台数は限定されない。また、グループ５を構成する携帯端末３の種類も限定されず、スマートフォンやタブレット端末、ノートパソコン等が混在してもよい。
【００３２】
［１−２．サーバの構成］
図２は、本実施形態に係るサーバ４の電気的構成を示すブロック図である。
【００３３】
本実施形態に係るサーバ４は、サーバ４全体の動作を司る主制御部であるＣＰＵ（Central  Processing  Unit）２０、各種プログラム及び各種データ等が予め記憶されたＲＯＭ（Read  Only  Memory）２２、ＣＰＵ２０による各種プログラムの実行時のワークエリア等として用いられるＲＡＭ（Random  Access  Memory）２４、各種プログラム及び各種データを記憶する記憶手段としてのＨＤＤ（Hard  Disk  Drive）２６を備えている。
【００３４】
ＨＤＤ２６は、登録されたグループ５に関する情報や、携帯端末３に配信する動画データを記憶する。なお、記憶手段は、ＨＤＤ２６に限らず、例えば、フラッシュメモリ等の半導体メモリ等の他の記憶媒体であってもよい。
【００３５】
さらに、サーバ４は、キーボード及びマウス等で構成されて各種操作の入力を受け付ける操作入力部２８、各種画像を表示する例えば液晶ディスプレイ装置等のモニタ３０、通信回線２を介して携帯端末３等の他の情報処理装置等と接続され、他の情報処理装置等との間で各種データの送受信を行う外部インタフェース３２を備えている。
【００３６】
これらＣＰＵ２０、ＲＯＭ２２、ＲＡＭ２４、ＨＤＤ２６、操作入力部２８、モニタ３０、及び外部インタフェース３２は、システムバス３４を介して相互に電気的に接続されている。従って、ＣＰＵ２０は、ＲＯＭ２２、ＲＡＭ２４、及びＨＤＤ２６へのアクセス、操作入力部２８に対する操作状態の把握、モニタ３０に対する画像の表示、並びに外部インタフェース３２を介した他の情報処理装置等との各種データの送受信等を各々行なうことができる。
【００３７】
［１−３．本実施形態に係るサーバの動画配信機能］
図３は、本実施形態に係るサーバ４の動画配信機能に関する機能ブロック図である。
【００３８】
サーバ４が備えるＣＰＵ２０は、グループ登録部４０、動画データ配信部４２、及び配信動画選択部４４を備える。ＣＰＵ２０が備える各機能は、ＨＤＤ２６に記憶されているプログラムによって実現される。
【００３９】
グループ登録部４０は、至近距離に位置する複数の携帯端末３で構成されるグループ５の登録を受け付ける。
【００４０】
グループ登録部４０は、例えば、携帯端末３を介して携帯端末３の位置情報を取得し、至近距離として予め定められた範囲内（例えば１０ｍ内、以下「至近距離範囲」という。）にある複数の携帯端末３をグループ５として登録する。なお、携帯端末３の位置情報と共に、ユーザＩＤ（identification）も取得される。ユーザＩＤは、ユーザが動画配信サービスを受ける場合に、ログイン画面に入力するＩＤとして用いられる。
【００４１】
至近距離範囲に携帯端末３があるか否かは、例えば、ホストとされた一台の携帯端末３（以下「ホスト端末」という。）を中心として直径１０ｍ以内に位置する携帯端末３が至近距離範囲にあるか否かによって判定される。より具体的には、まず、ホストとなる携帯端末３が動画配信サービスに最初にログインすることによって、グループ５の登録が開始され、登録されたグループ５に入る許可申請を他の携帯端末３が行う。他の携帯端末３による許可申請は、ホスト端末によって可否が決定されると共に、ホスト端末と他の携帯端末３との距離が至近距離範囲内であるか否かがグループ登録部４０によって判定される。
【００４２】
グループ登録部４０は、他の携帯端末３が至近距離範囲内であると判定した場合にのみ、ホスト端末の許可に追従して他の携帯端末３がグループ５へ登録されることを許可する。一方、他の携帯端末３が至近距離範囲内でないと判定した場合、グループ登録部４０は、ホスト端末が許可しても、他の携帯端末３がグループ５へ登録されることを許可しない。
【００４３】
なお、グループ登録部４０は、携帯端末３の位置情報を取得することなく、ユーザＩＤの登録のみによってグループ５の登録を行ってもよい。この場合、他の携帯端末３による許可申請は、ホスト端末によってのみ可否が決定される。
【００４４】
動画データ配信部４２は、グループ登録された複数の携帯端末３へ動画データを配信する。一例として、動画データ配信部４２は、グループ登録されている携帯端末３の全てに動画データを配信する。なお、動画データの配信は、一例として、ストリーミング再生によって行われる。
【００４５】
本実施形態に係る動画データ配信部４２は、グループ登録されていない携帯端末３に対しても動画データを配信可能とする。一方で、グループ登録された携帯端末３に対して、動画データ配信部４２は、グループ登録されなければ視聴できない動画を示す動画データ（以下「グループ用動画データ」という。）を配信する。
【００４６】
以下の説明において、グループ登録されていない携帯端末３に対して配信される動画データを通常動画データという。本実施形態に係る動画配信システム１では、通常動画データを再生して視聴可能な動画は完成されているものであり、通常動画データの再生のみでもユーザは動画の進行を理解できる。
【００４７】
また、グループ用動画データを配信する処理をグループ視聴動画配信処理という。本実施形態に係るグループ視聴動画配信処理は、一例として、グループ登録された携帯端末３に対して、動画の進行に応じて通常動画データからグループ用動画データに切り替えて配信する。
【００４８】
通常動画データからグループ用動画データの配信に切り替わる動画進行のタイミングをグループ視聴分岐という。なお、グループ登録されていない携帯端末３に対しては、グループ視聴分岐に至っても通常動画データからグループ用動画データへの配信に切り替わらずに、通常動画データの配信が継続される。
【００４９】
配信動画選択部４４は、動画データ配信部４２に配信させる動画データを選択し、ＨＤＤ２６から読み出す。すなわち、グループ登録された携帯端末３に対して配信動画選択部４４は、動画の進行がグループ視聴分岐に至った場合、グループ用動画データを選択してＨＤＤ２６から読み出し、動画データ配信部４２に配信させる。一方、動画の進行がグループ視聴分岐でない場合、配信動画選択部４４は、通常動画データを選択してＨＤＤ２６から読み出し、動画データ配信部４２に配信させる。
【００５０】
［１−４．本実施形態に係るグループ視聴動画配信処理の詳細］
図４から図７を参照して本実施形態に係るグループ視聴動画配信処理を説明する。
【００５１】
図４は、グループ視聴分岐においてグループ登録された携帯端末３Ａ〜３Ｄに表示される動画５０の一例を示す図である。
【００５２】
図４を用いて説明するグループ視聴動画配信処理は、グループ登録された複数の携帯端末３Ａ〜３Ｄで同時に再生することで一つの動画５０とされるグループ用動画データを配信するものであり、全ての携帯端末３で再生される動画が異なる。なお、図４の例では、動画の進行がグループ視聴分岐に至った場合、ユーザが複数の携帯端末３Ａ〜３Ｄを平面的に並べて視聴することを想定している。
【００５３】
携帯端末３Ｄに表示される動画５０Ａ１は、通常動画データを再生することで表示される動画５０、すなわちグループ登録されていない携帯端末３でも表示される動画５０である。一方、携帯端末３Ａ〜３Ｃに表示される動画５０Ｂ１−１〜５０Ｂ１−３は、グループ用動画データを再生することで表示される動画５０である。従って、動画５０Ｂ１−１〜５０Ｂ１−３は、グループ登録されていない携帯端末３では視聴できない動画である。
【００５４】
図４の例では、動画５０Ｂ１−１〜５０Ｂ１−３は動画５０Ａ１の背景を表示するものであり、動画５０Ａ１に動画５０Ｂ１−１〜５０Ｂ１−３が組み合わされることで、動画Ａ１のみが再生される場合に比べて画角の広い動画が形成されることになる。そして、ユーザは、動画５０Ｂ１−１〜５０Ｂ１−３を動画５０Ａ１と同時に視聴することで一つの動画として理解できる。
【００５５】
このように、図４を用いて説明したグループ視聴動画配信処理は、グループ登録された複数の携帯端末３を並べてユーザに動画を視聴させるので、ユーザ同士がコミュニケーションを取りながら動画を視聴することを促すことができる。
【００５６】
なお、グループ用動画データが配信される携帯端末３は、一例として、動画データ配信部４２がランダムに決定する。
【００５７】
また、図４の例では、グループ登録された携帯端末３の数と一つの動画５０とするために必要な携帯端末３（以下「必要端末数」という。）の数が一致しているが、グループ登録された携帯端末３の数と必要端末数が一致しない場合もある。
【００５８】
グループ登録された携帯端末３の数が必要端末数よりも多い場合は、例えば、各グループ用動画データを再生させる携帯端末３を一台ずつとし、通常動画データを再生させる携帯端末３の数を２つ以上としてもよい。また、グループ登録された携帯端末３の数が必要端末数よりも少ない場合は、通常動画データを再生させる携帯端末３の数を少なくとも１つとし、複数のグループ用動画データのうち一部を他の携帯端末３で再生させる。
【００５９】
なお、図４では、グループ登録された複数の携帯端末３を平面的（２次元状）に並べる形態について説明したが、これに限らず、図５に示されるようにグループ登録された複数の携帯端末３を立体的（３次元状）に並べる形態としてもよい。図５の例では、２つの携帯端末３の長軸方向に対して他の２つの携帯端末３が略直角となるように配置されているが、立体的な配置はこれに限られない。
【００６０】
複数の携帯端末３を立体的に並べることにより、例えば、洞窟や迷宮のようなダンジョンを舞台とした動画において、ユーザに対して立体的な視野を与えることができる。
【００６１】
図６は、グループ登録された携帯端末３Ａ〜３Ｄの少なくとも一部において再生される画像が異なる場合を示している。
【００６２】
携帯端末３Ａ，３Ｃ，３Ｄに表示される動画５０Ａ２は、通常動画データを再生することで表示される動画５０、すなわちグループ登録されていない携帯端末３でも表示される動画５０である。一方、携帯端末３Ｂで再生される動画５０Ｂ２は、グループ用動画データを再生することで表示される動画５０である。すなわち、携帯端末３Ｂに表示される動画５０Ｂ２は、グループ登録されていない携帯端末３では視聴できない動画である。
【００６３】
図６の例では、動画５０Ｂ２は動画５０Ａ２に表示される人物と会話している人物も表示するものであり、換言すると、動画５０Ｂ２は動画５０Ａ２とはカメラアングルが異なる動画である。そして、動画５０Ａ２を視聴しているユーザは、動画５０Ｂ２も同時に視聴することで、動画５０Ａ２の人物が誰と会話しているかを明確に知ることができる。
【００６４】
図６のように、カメラアングルが異なるようなグループ視聴分岐をアングル分岐という。このアングル分岐としては、例えば、同じシーンで一部の携帯端末３の動画では主人公がアップになる形態や、一部の携帯端末３の動画に伏線となる事象が表示される形態、掛け声に対し複数のキャラクターが個別に応じるシーンで携帯端末３毎に一人ずつキャラクターを表示する形態等がある。
【００６５】
なお、アングル分岐では、図４に示すように、必ずしも複数の携帯端末３を並べる必要はない。携帯端末３のユーザ各々が自身の携帯端末３で再生される動画のみを視聴してもよい。
【００６６】
図７は、アングル分岐において、一部の携帯端末３に配信したグループ用動画データを、その後、他の携帯端末３に配信する形態を示した図である。
【００６７】
図７（Ａ）は、グループ用動画データが再生される携帯端末３Ｂにおける動画表示の態様が示されている。図７（Ａ）の例では、携帯端末３Ｂに表示されている動画が他の携帯端末３Ａ，３Ｃ，３Ｄとは異なるオリジナルの動画５０Ｂ３であることをユーザが認識できるように「オリジナル画面表示中」とのような報知画像５２が表示される。また、携帯端末３Ｂには動画を共有するための共有ボタン５４が表示される。
【００６８】
そして、自身の携帯端末３Ｂに表示されている動画が他の携帯端末３Ａ，３Ｃ，３Ｄには表示されていないことに気が付いたユーザは、共有ボタン５４をタップすることで、他の携帯端末３Ａ，３Ｃ，３Ｄに自身の動画と同じ動画を表示させることができる。
【００６９】
すなわち、共有ボタン５４がタップされた場合、サーバ４は、他の携帯端末３Ａ，３Ｃ，３Ｄに対してもグループ用動画データを配信する。新たにグループ用動画データが配信された他の携帯端末３Ａ，３Ｃ，３Ｄは、一例として、図７（Ｂ）に示されるように、グループ用動画データを再生した動画５０Ｂ３をワイプ５６によって通常動画データを再生した動画５０Ａ３に重畳させて表示してもよいし、通常動画データの再生からグループ用動画データの再生へ切り替えてもよい。
【００７０】
図６，７に示されるようなグループ視聴動画配信処理は、グループ登録された一部の携帯端末３Ｂにグループ用動画データを配信するので、他の携帯端末３Ａ，３Ｃ，３Ｄのユーザは、携帯端末３Ｂのユーザとコミュニケーションをとることで、グループ用動画データを再生した動画５０Ｂ３を視聴する必要が生じる。このため、グループ視聴動画配信処理は、ユーザ同士がコミュニケーションを取りながら動画を視聴することを促すことができる。また、他の携帯端末３Ａ，３Ｃ，３Ｄのユーザは、１回の動画視聴だけではグループ用動画データを再生した動画を視聴できない場合がある。このため、２回目の動画視聴は、複数の携帯端末３Ａ〜３Ｄを並べて視聴する欲求が生じることが期待されるので、グループ視聴動画配信処理は、ユーザ同士がコミュニケーションを取りながら動画を視聴することを促すことができる。
【００７１】
また、グループ視聴動画配信処理は、再生される画像及び音の少なくとも一方が異なるようにグループ用動画データを配信してもよい。すなわち、一部の携帯端末３が出力する音が他の携帯端末３が出力する音と異なってもよい。また、一部の携帯端末３では、再生される画像及び音声が他の携帯端末３で異なってもよい。
【００７２】
例えば、グループ登録されていない携帯端末３の一部から、動画の登場人物の一人の悲鳴が出力され、その後、全ての携帯端末３において他の登場人物が振り向く動画が再生される。なお、グループ登録されていない携帯端末３には、悲鳴は出力されないため、その後に他の登場人物が振り向く動画が再生されても、動画を視聴しているユーザは何が起きたのかをすぐには理解できないこととなる。
【００７３】
そして、一部の携帯端末３の音声が他の携帯端末３の音声と異なっている場合には、他の携帯端末３のユーザは至近距離に居るため、そのことを必然的に知ることになる。このため、他の携帯端末３のユーザは、その音声が何であるのかを知るために、一部の携帯端末３のユーザとコミュニケーションを取ることになる。また、２回目の動画視聴において複数の携帯端末３を並べて視聴する欲求が生じることが期待されるので、グループ視聴動画配信処理は、ユーザ同士がコミュニケーションを取りながら動画を視聴することを促すことができる。
【００７４】
［１−５．本実施形態に係るグループ視聴動画配信処理のフロー］
図８は、サーバ４が備えるＣＰＵ２０によって実行される本実施形態に係るグループ視聴動画配信処理の流れを示すフローチャートである。グループ視聴動画配信処理を実行するためのプログラムはＨＤＤ２６の所定領域に予め記憶されている。グループ視聴動画配信処理は、通常動画データの配信開始と共に開始される。
【００７５】
まず、ステップ１００では、動画の進行がグループ視聴分岐に至ったか否かを配信動画選択部４４が判定し、肯定判定の場合にステップ１０２へ移行し、否定判定の場合はステップ１１０へ移行する。
【００７６】
ステップ１０２では、携帯端末３はグループ登録されているか否かを配信動画選択部４４が判定し、肯定判定の場合はステップ１０４へ移行し、否定判定の場合はステップ１０６へ移行する。
【００７７】
ステップ１０４では、配信動画選択部４４がグループ視聴分岐に応じたグループ用動画データ及び通常動画データを選択し、ステップ１０８へ移行する。なお、選択されたグループ用動画データ及び通常動画データは、動画データ配信部４２によってグループ登録された携帯端末３へ配信される。
【００７８】
ステップ１０６では、配信動画選択部４４が通常動画データのみを選択し、ステップ１０８へ移行する。なお、選択された通常動画データは、動画データ配信部４２によってグループ登録されていない携帯端末３へ配信される。
【００７９】
ステップ１０８では、ステップ１０４又はステップ１０６で選択された動画データを動画データ配信部４２が携帯端末３に配信する。
【００８０】
次のステップ１１０では、動画の配信が終了したか否かを配信動画選択部４４が判定し、否定判定の場合はステップ１００へ戻り、肯定判定の場合はグループ視聴動画配信処理を終了する。
【００８１】
以上説明したように、本実施形態に係るグループ視聴動画配信処理は、グループ登録された携帯端末３へ、グループ登録されなければ視聴できない動画を示すグループ用動画データを配信する。従って、グループ用動画データで再生される動画を視聴するためには、複数のユーザの携帯端末３をグループ登録し、ユーザ同士が至近距離で動画を視聴する必要が生じるので、グループ視聴動画配信処理は、ユーザ同士でコミュニケーションを取りながら動画を視聴することを促すことができる。
【００８２】
［２．第２実施形態］
以下、本発明の第２実施形態について説明する。
【００８３】
本実施形態に係る動画配信システム１及びサーバ４の構成は、図１〜３に示す第１実施形態に係る動画配信システム１及びサーバ４の構成と同様であるので説明を省略する。
【００８４】
なお、本実施形態に係る動画データ配信部４２は、グループ登録されていない携帯端末３では視聴できない要素（以下「グループ視聴要素」という。）を含むグループ用動画データを、グループ登録された携帯端末３に配信する。
【００８５】
［２−１．本実施形態に係るグループ視聴動画配信処理の詳細］
図９を参照して本実施形態に係るグループ視聴動画配信処理を説明する。図９に示される例では、グループ視聴要素は画像とされる。なお、本実施形態に係るグループ視聴動画配信処理では、一例として、グループ視聴分岐においてグループ登録された携帯端末３全てで同じ動画データが配信され、同じ動画が再生される。すなわち、本実施形態に係るグループ視聴動画配信処理では、グループ登録された全ての携帯端末３でグループ視聴要素を視聴可能とするが、これに限らず、グループ登録された一部の携帯端末３のみがグループ視聴要素を視聴可能としてもよい。
【００８６】
図９（Ａ）は、グループ登録されていない携帯端末３に表示される動画５０Ａ４を示しており、図９（Ｂ），（Ｃ）はグループ登録された携帯端末３に表示される動画５０Ｂ４−１，５０Ｂ４−２を示している。
【００８７】
図９（Ｂ）では、動画５０Ｂ４−１に含まれる画像７０がグループ視聴要素であり、グループ登録されていない携帯端末３では画像７０をユーザは見ることができない。
【００８８】
なお、本実施形態に係るグループ視聴動画配信処理では、グループ視聴分岐に至った場合に、グループ登録された携帯端末３全てにグループ視聴要素が視聴可能なグループ用動画データを配信する一方、グループ登録されていない携帯端末３には、グループ視聴要素が視聴できない通常動画データを配信する。
【００８９】
また、これに限らず、グループ用動画データは、グループ視聴要素に画像処理が施され、携帯端末３において画像処理を解除可能とされてもよい。すなわち、動画の進行がグループ視聴分岐に至った場合、グループ登録されていない携帯端末３は、グループ用動画データの画像処理を解除することなく動画を再生する一方、グループ登録された携帯端末３は、グループ用動画データから画像処理を解除して動画を再生する。なお、画像処理は、そこにグループ視聴要素が存在することを示唆する画像処理であればよく、例えば、モザイク処理や所定色による塗り潰し処理である。これにより、ユーザは、グループ登録されていない携帯端末３でグループ用動画データを再生すると、画像処理がされている動画を視聴していること認識できる。このような画像処理は、ユーザに対して携帯端末３に対してグループ登録を行うことを促すことができる。
【００９０】
図９（Ｃ）では、動画５０Ｂ４−２において、動画５０Ａ４に比較して画角を拡大した破線で示される範囲（以下「拡大画像範囲」という。）７２がグループ視聴要素である。すなわち、グループ登録されていない携帯端末３では、拡大画像範囲７２をユーザは見ることができない。
【００９１】
本実施形態に係るグループ視聴動画配信処理では、グループ用動画データの再生サイズを変化させることで、グループ視聴要素の視聴可又は視聴不可を制御してもよい。すなわち、動画の進行がグループ視聴分岐に至った場合、グループ登録されていない携帯端末３は、拡大画像範囲７２を視聴できないようにグループ用動画データの再生サイズ（縦横サイズ）を拡大して再生する。一方、グループ登録された携帯端末３は拡大画像範囲７２を視聴できるように、拡大することなく動画を再生する。
【００９２】
なお、グループ視聴要素は、グループ用動画データから再生される音であってもよい。この形態の場合、グループ視聴要素とされる音は、グループ登録されていない携帯端末３で再生される場合、例えば規制音（いわゆるピー音）が重畳されてユーザに聞こえないようにされる。
【００９３】
また、グループ登録されていない携帯端末３で再生する動画の進行がグループ視聴分岐に至った場合、グループ視聴要素が視聴できないことを示すメッセージを表示する等の報知が行われてもよい。
【００９４】
以上説明したように、本実施形態に係るグループ視聴動画配信処理は、グループ登録されていない携帯端末３では視聴できない要素を含むグループ用動画データを、グループ登録された携帯端末に配信する。従って、グループ用動画データで再生される動画を視聴するためには、複数のユーザの携帯端末３をグループ登録し、ユーザ同士が至近距離で動画を視聴する必要が生じるので、グループ視聴動画配信処理は、ユーザ同士でコミュニケーションを取りながら動画を視聴することを促すことができる。
【００９５】
［３．第３実施形態］
以下、本発明の第３実施形態について説明する。
【００９６】
本実施形態に係る動画配信システム１及びサーバ４の構成は、図１，２に示す第１実施形態に係る動画配信システム１及びサーバ４の構成と同様であるので説明を省略する。
【００９７】
［３−１．本実施形態に係るサーバの動画配信機能］
図１０は、本実施形態に係るサーバ４の動画配信機能に関する機能ブロック図である。
【００９８】
サーバ４が備えるＣＰＵ２０は、グループ登録部４０、動画データ配信部４２、及び配信動画選択部４４に加え、視聴環境判定部８０を備える。
【００９９】
視聴環境判定部８０は、携帯端末３の視聴環境が所定条件（以下「グループ視聴条件」という。）を満たしたか否かを判定する。グループ視聴条件は、グループ視聴分岐に応じて定められている。
【０１００】
視聴環境は、携帯端末３が検知する情報、例えば明るさや音等である。明るさは、携帯端末３が備えるカメラ３ｄによって検知され、音は、携帯端末３が備えるマイク３ｃによって検知される。すなわち、携帯端末３は、視聴環境を示す明るさ情報や音情報をサーバ４へ送信する。視聴環境を検知する携帯端末３は、例えばホスト端末である。なお、視聴環境は、明るさや音の他に、時刻や天候であってもよい。
【０１０１】
さらに、視聴環境には、携帯端末３に対するユーザの操作状態が含まれてもよい。ユーザの操作状態とは、例えば、携帯端末３が備えるタッチパネルディスプレイ３ａへのタッチ操作や携帯端末３に対するシェイク操作（携帯端末３を振る操作）等である。携帯端末３に対するユーザの操作状態は、タッチパネルディスプレイ３ａや加速度センサ等によって検知され、タッチ操作やシェイク操作の強度や回数も検知される。なお、タッチ操作やシェイク操作の強度や回数は、グループ登録されている携帯端末３の個々の値であってもよいし、複数の携帯端末３の総合値であってもよい。また、同時にタッチ操作やシェイク操作を行った携帯端末３の台数がグループ視聴条件に含まれてもよい。このように、音やタッチ操作、シェイク操作を視聴環境として検知することは、動画を視聴しているユーザの盛り上がり状態を検知することになる。
【０１０２】
なお、マイク３ｃは、再生している動画の音も入力される可能性がある。そこで、携帯端末３は、動画の音の逆位相となる音情報を、マイク３ｃで取得した音情報に重畳させることで、マイク３ｃで取得した音情報から動画の音をキャンセルしてもよい。また、携帯端末３は、動画の音だけでなく、携帯端末３の周囲の雑音をキャンセルしてもよい。雑音とは、例えば、車の走行音や電車の音等である。
【０１０３】
配信動画選択部４４は、携帯端末３の視聴環境がグループ視聴条件を満たした場合に、動画データ配信部４２に配信させるグループ用動画データを選択し、ＨＤＤ２６から読み出す。すなわち、動画データ配信部４２は、携帯端末３の視聴環境がグループ視聴条件を満たした場合に、グループ用動画データを配信する。
【０１０４】
［３−２．グループ視聴条件］
以下にグループ視聴条件の例について説明する。
【０１０５】
例えば、グループ視聴条件を第１閾値以上の明るさとし、動画の進行がグループ視聴分岐に至った場合に携帯端末３で検知した明るさが第１閾値以上であると、暗かった動画が明るくなり、見えなかった画像が見えるグループ用動画データが配信される。このグループ視聴条件は、例えば、洞窟のシーン等で適用される。
【０１０６】
また、グループ視聴条件を第２閾値以下の明るさとし、動画の進行がグループ視聴分岐に至った場合に携帯端末３で検知した明るさが第２閾値以下であると、明るかった動画が暗くなり、見えなかった画像が見えるグループ用動画データが配信される。このグループ視聴条件は、例えば、幽霊が出現するシーン等で適用される。
【０１０７】
また、グループ視聴条件を第３閾値以上の音（ユーザの音声）とし、動画の進行がグループ視聴分岐に至った場合に携帯端末３で検知した音が第３閾値以上であると、聞こえていなかった音声が聞こえるグループ用動画データが配信される。このグループ視聴条件は、例えば、コンサートのシーン等で適用される。
【０１０８】
また、グループ視聴条件を第４閾値以下の音（ユーザの音声）とし、動画の進行がグループ視聴分岐に至った場合に携帯端末３で検知した音が第４閾値以下であると、聞こえていなかった音声が聞こえるグループ用動画データが配信される。このグループ視聴条件は、例えば、鳥の鳴き声を出力するシーン等で適用される。
【０１０９】
なお、グループ視聴分岐に至る前に、グループ登録された携帯端末３に対してグループ視聴条件が表示される等の報知がされてもよい。
【０１１０】
［３−３．本実施形態に係るグループ視聴動画配信処理のフロー］
図１１は、サーバ４が備えるＣＰＵ２０によって実行される本実施形態に係るグループ視聴動画配信処理の流れを示すフローチャートである。なお、図１１における図８と同一のステップについては図８と同一の符号を付して、その説明を一部又は全部省略する。
【０１１１】
ステップ１０２において、携帯端末３はグループ登録されているか否かを配信動画選択部４４が判定し、肯定判定の場合はステップ２００へ移行し、否定判定の場合はステップ１０６へ移行する。
【０１１２】
ステップ２００では、視聴環境がグループ視聴分岐に応じたグループ視聴条件を満たすか否かを視聴環境判定部８０が判定し、肯定判定の場合はステップ２０２へ移行し、否定判定の場合はステップ１０６へ移行する。
【０１１３】
ステップ２０２では、配信動画選択部４４がグループ視聴分岐に応じたグループ用動画データを選択し、ステップ１０８へ移行する。
【０１１４】
以上説明したように、本実施形態に係るグループ視聴動画配信処理は、携帯端末３の視聴環境がグループ視聴条件を満たした場合に、グループ用動画データを配信する。従って、グループ視聴条件を満たすためにユーザ同士でコミュニケーションをとる必要が生じるので、グループ視聴動画配信処理は、ユーザ同士でコミュニケーションを取りながら動画を視聴することを促すことができる。
【０１１５】
［４．他の実施形態］
以上、本発明を、上記各実施形態を用いて説明したが、本発明の技術的範囲は上記実施形態に記載の範囲には限定されない。発明の要旨を逸脱しない範囲で上記各実施形態に多様な変更又は改良を加えることができ、該変更又は改良を加えた形態も本発明の技術的範囲に含まれる。また、上記各実施形態を適宜組み合わせてもよい。
【０１１６】
また、上記各実施形態においてサーバ４が行っていた処理の一部を、動画５０が配信される携帯端末３で行う形態としてもよい。
【０１１７】
また、上記各実施形態で説明した各フローで説明した各種処理の流れも一例であり、本発明の主旨を逸脱しない範囲内において不要なステップを削除したり、新たなステップを追加したり、処理順序を入れ替えたりしてもよい。
【符号の説明】
【０１１８】
３    携帯端末（情報処理端末）
４    サーバ（情報処理装置）
５    グループ
４０  グループ登録部（グループ登録手段）
４２  動画データ配信部（動画データ配信手段）
５０  動画
【図１】
2019036785.tif 000003
【図２】
2019036785.tif 000004
【図３】
2019036785.tif 000005
【図４】
2019036785.tif 000006
【図５】
2019036785.tif 000007
【図６】
2019036785.tif 000008
【図７】
2019036785.tif 000009
【図８】
2019036785.tif 000010
【図９】
2019036785.tif 000011
【図１０】
2019036785.tif 000012
【図１１】
2019036785.tif 000013